(57)【要約】【課題】  デュエット曲を選曲して歌唱する際に、歌唱者のうちの誰が歌唱するパートであるかを明確に区別して表示可能であると共に、当該表示が歌唱の邪魔にならず、歌唱の楽しさを十分に味わうことができるようにする。【解決手段】  選曲者がデュエット曲を選曲予約する際に、性別情報に基づき、当該選曲者の性別に対応した歌唱パートを当該選曲者の歌唱パートとして設定すると共に、当該選曲者とは異なる性別であって、現にシステムログインしている利用者の中から他方の性別に対応した歌唱パートのデュエット相手を設定可能なデュエット相手設定手段５４と、デュエット相手が設定された楽曲をカラオケ演奏する際に、選曲者及びデュエット相手の表示識別情報（例えば顔写真）を、各歌唱パートに対応した歌詞テロップデータに関連付けて表示手段３３に表示させるための再生制御手段４９と、を備える。【選択図】  図３
2008256733.tif 000002
【特許請求の範囲】
【請求項１】
利用者ＩＤに関連付けて少なくとも性別情報と表示識別情報とを含む利用者情報が登録された利用者情報格納手段にアクセス可能であり、選曲者の利用者ＩＤと関連付けて予約される楽曲の指定予約を管理する機能を有したカラオケシステムであって、
利用者ＩＤ取得手段と、利用者情報取得手段と、デュエット相手設定手段と、再生制御手段と、を備え、
前記利用者ＩＤ取得手段は、利用者がシステムログインした際に利用者ＩＤを取得し、
前記利用者情報取得手段は、前記利用者ＩＤ取得手段により取得した利用者ＩＤに基づいて、前記利用者情報格納手段に格納された利用者情報を取得し、
前記デュエット相手設定手段は、選曲者がデュエット曲を選曲予約する際に、前記性別情報に基づき、当該選曲者の性別に対応した歌唱パートを当該選曲者の歌唱パートとして設定すると共に、当該選曲者とは異なる性別であって、現にシステムログインしている利用者の中から他方の性別に対応した歌唱パートのデュエット相手を設定可能とし、
前記再生制御手段は、前記デュエット相手設定手段によりデュエット相手が設定された楽曲のカラオケ演奏に際して、選曲者及びデュエット相手の利用者ＩＤに基づく表示識別情報を、各歌唱パートに対応した歌詞テロップデータに関連付けて表示手段に表示させる、
ことを特徴とするカラオケシステム。
【請求項２】
歌詞テロップデータに関連付けて表示される前記表示識別情報は、利用者を特定するためのイメージデータであることを特徴とする請求項１に記載のカラオケシステム。
【発明の詳細な説明】
【技術分野】
【０００１】
本発明は、利用者が選曲した楽曲の演奏データに基づきカラオケ演奏を行うと共に、当該カラオケ演奏に同期させて歌詞テロップデータを表示手段に出力するカラオケシステムに関するものである。
【背景技術】
【０００２】
従来、カラオケシステムにおける歌唱補助機能として、カラオケ演奏に同期させて歌詞テロップデータを表示するようにしたものが知られている。特に、デュエット曲が選曲されている場合には、男性が歌唱するパートであるか、あるいは女性が歌唱するパートであるかを区別するために、各歌唱パートに対応した歌詞テロップの先頭に区別マークを付していた。具体的には、男性が歌唱するパートに対応した歌詞テロップの場合には、歌詞テロップの先頭にブルーのスペードマークを表示し、女性が歌唱するパートに対応した歌詞テロップの場合には、歌詞テロップの先頭にピンクのハートマークを表示していた。
【０００３】
また、デュエット曲の歌唱パートを一層明確に区別することができる技術が種々提案されている。例えば、デュエット曲の演奏時に、各歌唱者のための歌唱パートの演奏中であることが区別可能なように、演出装置のＬＥＤの発光状態を制御するようにしたカラオケ装置が開示されている（特許文献１参照）。
【０００４】
この特許文献１に記載されたカラオケ装置は、ＣＲＴや液晶表示装置等からなる表示装置とは別に、青色発光するＬＥＤと赤色発光するＬＥＤとを有する演出装置を備えている。そして、男性が歌唱するパートの場合には、演出装置の青色ＬＥＤを点灯させ、女性が歌唱するパートの場合には、演出装置の赤色ＬＥＤを点灯させることにより、デュエット曲の歌唱パートをより明確に区別することができるとしている。
【０００５】
【特許文献１】特開２００４−２７２１１５号公報
【発明の開示】
【発明が解決しようとする課題】
【０００６】
ところで、カラオケ演奏に同期させて歌詞テロップデータを表示する機能は、選曲した楽曲について歌詞をよく覚えていない歌唱者や歌唱タイミングが曖昧である歌唱者に対して、歌唱を補助するために搭載されたものである。したがって、このような歌唱者は、表示装置に表示される歌詞テロップを注視しながら歌唱を行うのが一般的である。
【０００７】
しかしながら、上述した特許文献１に記載された技術は、表示装置とは別に設けた演出装置を用いて、男女いずれの歌唱パートであるかを表示しているため、歌唱に際して表示装置だけではなく演出装置も注視する必要がある。したがって、選曲した楽曲について歌詞をよく覚えていない歌唱者や歌唱タイミングが曖昧である歌唱者の場合には、歌唱補助機能として表示される歌詞テロップの目的を果たせないことがあった。
また、選曲した楽曲の歌唱に熟練した歌唱者の場合には、演出装置におけるＬＥＤの発光が邪魔となり、歌唱の楽しさを十分に味わえない場合もあった。
【０００８】
また、男女のデュエット曲として選曲される楽曲は人気のあるものが多く、複数の男女ペアが重複して選曲する場合がある。この場合に、歌詞テロップの先頭に男女の区別マークを表示し、あるいは演出装置におけるＬＥＤの発光色を変化させただけでは、どの男女ペアが選曲したデュエット曲であるかを区別することができない。
【０００９】
本発明は、上述した事情に鑑み提案されたもので、デュエット曲を選曲して歌唱する際に、歌唱者のうちの誰が歌唱するパートであるのかを明確に区別して表示可能であると共に、当該表示が歌唱の邪魔にならず、歌唱の楽しさを十分に味わうことが可能なカラオケシステムを提供することを目的とする。
【課題を解決するための手段】
【００１０】
本発明のカラオケシステムは、上述した事情に鑑み提案されたもので、以下の特徴点を備えている。
すなわち、本発明のカラオケシステムは、利用者ＩＤに関連付けて少なくとも性別情報と表示識別情報とを含む利用者情報が登録された利用者情報格納手段にアクセス可能であり、選曲者の利用者ＩＤと関連付けて予約される楽曲の指定予約を管理する機能を有したカラオケシステムに関するものであり、利用者ＩＤ取得手段と、利用者情報取得手段と、デュエット相手設定手段と、再生制御手段と、を備えている。
【００１１】
そして、利用者ＩＤ取得手段は、利用者がシステムログインした際に利用者ＩＤを取得し、利用者情報取得手段は、利用者ＩＤ取得手段により取得した利用者ＩＤに基づいて、利用者情報格納手段に格納された利用者情報を取得し、デュエット相手設定手段は、選曲者がデュエット曲を選曲予約する際に、性別情報に基づき、当該選曲者の性別に対応した歌唱パートを当該選曲者の歌唱パートとして設定すると共に、当該選曲者とは異なる性別であって、現にシステムログインしている利用者の中から他方の性別に対応した歌唱パートのデュエット相手を設定可能とし、再生制御手段は、デュエット相手設定手段によりデュエット相手が設定された楽曲のカラオケ演奏に際して、選曲者及びデュエット相手の利用者ＩＤに基づく表示識別情報を、各歌唱パートに対応した歌詞テロップデータに関連付けて表示手段に表示させることを特徴とするものである。
なお、表示識別情報とは、利用者ＩＤ、氏名、セカンドネーム（例えば愛称）、イメージデータ等、表示手段において歌詞テロップと同様に表示することにより利用者を識別することができる情報のことである。
【００１２】
ここで、歌詞テロップデータに関連付けて表示される表示識別情報は、利用者を特定するためのイメージデータとすることが好ましい。なお、イメージデータとは、利用者の顔写真データ、似顔絵データ、アバター等のことである。
【発明の効果】
【００１３】
本発明のカラオケシステムによれば、デュエット相手が設定された楽曲をカラオケ演奏する際に、選曲者及びデュエット相手の表示識別情報を、各歌唱パートに対応した歌詞テロップデータに関連付けて表示手段に表示させている。
したがって、デュエット曲を選曲して歌唱する際に、歌唱者のうちの誰が歌唱するパートであるのかを明確に区別することができる。また、歌唱パートの区別は、歌詞テロップと共に表示手段に表示されるため、当該表示が歌唱の邪魔になることはなく、カラオケシステムを用いた歌唱の楽しさを十分に味わうことができる。
【００１４】
また、歌詞テロップデータに関連付けて表示される表示識別情報を、利用者を特定するためのイメージデータとすることにより、誰がどのパートを歌唱するのかを明確に認識することができる。このため、人気のあるデュエット曲を複数の男女ペアが重複して選曲した場合であっても、選曲者及びデュエット相手を容易に特定することができる。
【発明を実施するための最良の形態】
【００１５】
以下、図面を参照して、本発明のカラオケシステムの実施形態を説明する。
本発明の実施形態に係るカラオケシステムは、利用者が選曲した楽曲の演奏データに基づきカラオケ演奏を行うと共に、当該カラオケ演奏に同期させて歌詞テロップデータを表示手段に出力するものである。このカラオケシステムは、利用者ＩＤに関連付けて少なくとも性別情報と表示識別情報とを含む利用者情報が登録された利用者情報格納手段にアクセス可能であり、選曲者の利用者ＩＤと関連付けて予約される楽曲の指定予約を管理する機能を有している。
【００１６】
＜カラオケシステムの概要＞
図１は、本発明の実施形態に係るカラオケシステムの構成を示すもので、図１（ａ）は通信ネットワークを用いてカラオケシステムを構成した場合の模式図、図１（ｂ）はホスト装置の概略構成を示すブロック図である。また、図２は、顧客データベースの構成を示す説明図である。
【００１７】
本発明の実施形態に係るカラオケシステムは、図１（ａ）に示すように、通信ネットワーク１２を介して相互に接続されたホスト装置１１と複数のカラオケ演奏端末１３とを備えている。通信ネットワーク１２は、公衆電話回線、専用電話回線、光通信回線、ＬＡＮ等を用いることができるが、ネットワークに対する第三者の侵入やデータの傍聴及び改竄が困難であると共に、帯域を独占せず安価な通信網であるという点で、インターネットにより構築されるＶＰＮを利用することが好ましい。
【００１８】
ホスト装置１１は、図１（ｂ）に示すように、送受信部２１、制御手段２２、データ処理手段２３、及び利用者情報格納手段として機能する顧客データベース（顧客ＤＢ）２４を備えている。これらの構成要素のうち、少なくとも顧客データベース２４及びカラオケ演奏端末１３により本発明の実施形態に係るカラオケシステムが構成される。
【００１９】
送受信部２１は、各カラオケ演奏端末１３との間でデータの送受信を行うための手段であり、通信ネットワーク１２における通信方式の整合性を保つための通信回路やソフトウェアにより構成される。制御手段２２は、ホスト装置１１を統括的に制御するための手段であり、ＣＰＵ及びその周辺機器を含んで構成され、ＣＰＵ等がＲＯＭ等に格納されたアプリケーションプログラムに従って動作することにより制御機能を発揮するようになっている。
【００２０】
データ処理手段２３は、顧客データベース２４にアクセスして、データの抽出、変更、追加を処理するためのプログラムからなる。顧客データベース２４は、利用者毎に利用者情報が登録されたデータベースである。この顧客データベース２４は、例えば図２に示すように、利用者毎に、利用者ＩＤ、氏名、セカンドネーム（例えば愛称）、住所、電話番号、年齢、性別、職業、顔写真等のイメージファイル名が関連付けて構築されている。なお、イメージファイルは、顧客データベース２４に格納されている。
【００２１】
＜カラオケ演奏端末＞
次に、カラオケ演奏端末について説明する。図３は、カラオケ演奏端末の構成を示すブロック図である。
カラオケ演奏端末１３は、図３に示すように、カラオケ本体３２、表示手段３３、ミキシングアンプ３４、第１マイクロホン３５ａ、第２マイクロホン３５ｂ、スピーカ３６、遠隔入出力端末３７、及びＩＤ読取手段３９を備えると共に、通信ネットワーク１２を介してホスト装置１１と接続されている。カラオケ本体３２と表示手段３３とは、有線方式又は無線方式により接続されている。また、ホスト装置１１からカラオケ演奏端末１３に対して、楽曲データ、更新楽曲データ、利用者データ（表示識別情報を含む利用者情報）等が送信される。
【００２２】
＜遠隔入出力端末＞
遠隔入出力端末３７は、ユーザインタフェース機能を備えており、カラオケ本体３２のローカル送受信手段５２に対して有線方式又は無線方式によりデータの送受信を行うようになっており、データの送受信を行うための回路基板及びプログラムと、楽曲検索手段３８として機能させるためのプログラムとを備えている。ここで利用される無線方式としては、例えば近接無線通信技術であるｉｒＤＡやbluetooth（登録商標）等を挙げることができる。また、ユーザインタフェース機能として、例えば液晶ディスプレイとタッチセンサとを積層した入出力用表示部（図示せず）を備えており、入出力用表示部に表示されるアイコンや文字列にタッチすることにより、楽曲の選択やデータの入力を行うようになっている。さらに、遠隔入出力端末３７は、後述するデュエット相手設定手段５４及び利用者ＩＤ特定手段５５を備えている。
【００２３】
＜ＩＤ読取手段＞
ＩＤ読取手段３９は利用者ＩＤ取得手段として機能するもので、利用者がカラオケ演奏端末１３にログインする際に、利用者が所持するＩＤ媒体４０から利用者ＩＤを取得するための電子回路及びプログラムからなる。ＩＤ読取手段３９で取得した利用者ＩＤは、ＲＡＭ４４に一時的に記憶される。ＩＤ媒体４０は、例えば、非接触型のＩＣカード、携帯電話、携帯情報端末等からなり、利用者ＩＤを記憶して、ＩＤ読取手段３９との間でデータの送受信を行うことができるようになっている。
【００２４】
＜カラオケ本体＞
カラオケ本体３２は、バス４１、中央制御手段４２、ＲＯＭ４３、ＲＡＭ４４、利用者情報取得手段４５、楽曲データベース（楽曲ＤＢ）４６、映像データベース（映像ＤＢ）４７、音楽曲出力手段４８、再生制御手段４９、予約管理手段５０、ローカル送受信手段５２、及びネットワーク送受信手段５３を備えている。
【００２５】
＜中央制御手段＞
中央制御手段４２は、カラオケシステムを総合的に制御するための手段であり、例えばＣＰＵ及びその周辺機器により構成されており、ＣＰＵ等がＲＯＭ４３等に記憶されたアプリケーションプログラムに従って動作することにより、制御機能を発揮することができるようになっている。
【００２６】
＜ＲＯＭ／ＲＡＭ＞
ＲＯＭ４３は、カラオケシステムを構成する各機器を制御するためのアプリケーションプログラムデータや数値データを記憶するための機器で、例えば半導体メモリ等で構成される。また、ＲＡＭ４４は、アプリケーションプログラムや種々のデータを一時的に読み込む一時記憶領域として機能するための機器で、例えば半導体メモリ等で構成される。なお、物理的な半導体メモリによりＲＡＭ４４を構成するのではなく、ハードディスク記憶装置等を用いて仮想的なＲＡＭ４４を構成してもよい。本実施形態では、ＲＡＭ４４に、予約待ち行列が格納されている。
【００２７】
＜利用者情報取得手段＞
利用者情報取得手段４５は、ネットワーク送受信手段５３及び通信ネットワーク１２を介してホスト装置１１にアクセスし、利用者がカラオケシステムにログインした際に取得した利用者ＩＤに基づいて、顧客データベース２４に格納された利用者情報を取得するためのプログラムである。
【００２８】
＜楽曲データベース／映像データベース＞
楽曲データベース４６は、演奏データ（ＭＩＤＩ（登録商標）データ）及び歌詞テロップデータが同期されて構成される楽曲データについて、楽曲コードと対応付けてそれぞれ格納したデータベースである。なお、楽曲データには、デュエット曲であるか否か等の付随情報が含まれている。ここで、演奏データは各楽曲の演奏データをデジタル化したものであり、歌詞テロップデータは演奏データに同期された楽曲の歌詞文字データである。映像データベース４７は、演奏される楽曲に対応した背景映像を、当該楽曲の楽曲ＩＤに対応させた映像ファイルとして所定数格納したデータベースである。
【００２９】
＜音楽曲出力手段＞
音楽曲出力手段４８は、楽曲ＩＤに基づいて楽曲データベース４６から抽出された演奏データをデジタル再生すると共にアナログ変換してミキシングアンプ３４に出力するための電子回路である。ミキシングアンプ３４は、第１マイクロホン３５ａ及び第２マイクロホン３５ｂから入力された歌唱者の歌唱音声と、音楽曲出力手段４８から送出される演奏データとをミキシングすると共に、アンプ機能により増幅してメインスピーカ３６より出力させるための手段である。
【００３０】
＜再生制御手段＞
再生制御手段４９は、カラオケ演奏中に、楽曲データベース４６から抽出された楽曲データのうちの歌詞テロップデータ（歌詞文字データ）を当該楽曲の演奏データに同期させて表示手段３３に出力するための電子回路である。さらに、再生制御手段４９は、遠隔入出力端末３７を介した利用者からの操作指示による予約楽曲リストの表示や、デュエット相手設定手段５４によりデュエット相手が設定された楽曲のカラオケ演奏に際して、選曲者及びデュエット相手の利用者ＩＤに基づく表示識別情報を、各歌唱パートに対応した歌詞テロップデータと共に、当該楽曲の演奏データに同期させて表示手段３３に表示させる機能も有している。
【００３１】
＜表示手段＞
表示手段３３は、カラオケ演奏時の映像、歌詞テロップ及び表示識別情報等を表示するための装置で、例えばＣＲＴディスプレイ、液晶ディスプレイ、プラズマディスプレイ等により構成される。
【００３２】
＜予約管理手段＞
予約管理手段５０は、利用者により遠隔入出力端末３７における楽曲検索手段３８の機能を用いて選曲され、ローカル送受信手段５２を介して送信された当該選曲者の利用者ＩＤ、及び選曲楽曲ＩＤとを対応付けて予約待ち行列としてＲＡＭ４４に格納し、管理するためのプログラムである。なお、楽曲選択の表示や予約待ち行列の表示は、遠隔入出力端末３７の入出力用表示部（図示せず）及び表示手段３３のいずれか一方、あるいは双方で行うことができる。
【００３３】
＜送受信手段＞
ローカル送受信手段５２は、遠隔入出力端末３７との間でデータの送受信を行うための手段である。ネットワーク送受信手段５３は、通信ネットワーク１２を介してホスト装置１１との間でデータの送受信を行うための手段であり、通信ネットワーク１２における通信方式の整合性を保つための通信回路やソフトウェアにより構成される。
【００３４】
＜デュエット相手設定手段＞
デュエット相手設定手段５４は、利用者がデュエット曲を選曲予約する際に、性別情報に基づき、当該選曲者の性別に対応した歌唱パートを当該選曲者の歌唱パートとして設定すると共に、当該選曲者とは異なる性別であって、現にシステムログインしている利用者の中から他方の性別に対応した歌唱パートのデュエット相手を設定するためのプログラムである。ここで、候補者の設定は、デュエット相手設定手段５４の構成要素である利用者ＩＤ特定手段５５の機能として実行され、候補者は利用者ＩＤにより特定される。
【００３５】
＜デュエット相手設定の手順＞
次に、図４〜図７を参照して、本発明の実施形態に係るカラオケシステムを用いてデュエット相手を設定する処理を説明する。図４及び図５は、本発明の実施形態に係るカラオケシステムにおけるデュエット相手設定処理を示すものであり、図４は利用者ＩＤの取得処理を示すフローチャート、図５はデュエット相手の選択設定処理を示すフローチャートである。また、図６及び図７は、デュエット相手を設定する際の表示例を示すものであり、図６は楽曲指定画面の説明図、図７はデュエット相手指定画面の説明図である。
【００３６】
利用者ＩＤの取得処理では、図４に示すように、利用者がカラオケシステムへログインする際に、ＩＤ媒体４０に記憶された利用者ＩＤをＩＤ読取手段３９に読み取らせると、当該利用者ＩＤが取得される（Ｓ１）。なお、利用者がグループの場合には、すべての利用者の利用者ＩＤを取得させる。取得された利用者ＩＤは、ＲＡＭ４４の所定領域に一時的に格納される。
【００３７】
続いて、利用者情報取得手段４５が、ネットワーク送受信手段５３及び通信ネットワーク１２を介してホスト装置１１へアクセスし、顧客データベース２４からすべての利用者ＩＤに対応する性別情報と、表示識別情報である氏名（又はセカンドネーム）、イメージデータ等の利用者情報を取得する（Ｓ２）。取得された利用者情報は、ＲＡＭ４４の所定領域に一時的に格納されると共に、遠隔入出力端末３７へ送信され、遠隔入出力端末３７が備えるＲＡＭ等の一時記憶手段（図示せず）にも格納される。
【００３８】
デュエット相手の選択設定処理では、図５に示すように、遠隔入出力端末３７を用いて、選曲しようとする利用者が自身を特定するための操作を行うと、当該利用者の利用者ＩＤに基づく選曲画面を遠隔入出力端末３７の入出力用表示部に表示する（Ｓ１１）。そして、選曲された楽曲がデュエット曲であるか否かを判断し（Ｓ１２）、デュエット曲である場合には、デュエット相手指定ボタンの表示を含めた楽曲内容を遠隔入出力端末３７の入出力用表示部に表示する（Ｓ１３）。ここで、遠隔入出力端末３７の入出力用表示部に表示する表示画面は、図６に示すようになる。
【００３９】
続いて、選曲者によりデュエット相手指定ボタンが操作されたか否かを判断し（Ｓ１４）、デュエット相手指定ボタンが操作されると、デュエット相手設定手段５４の機能により、選曲者の性別情報に基づいて、選曲者の性別に対応した歌唱パートを当該選曲者の歌唱パートとして設定する（Ｓ１５）。続いて、デュエット相手設定手段５４を構成する利用者ＩＤ特定手段５５の機能により、現にシステムログインしている選曲者以外のすべての利用者ＩＤに対応する性別情報を取得し、当該性別情報に基づいて、選曲者とは異なる性別の利用者をデュエット相手として特定する。そして、デュエット相手を指定させるためのデュエット相手指定画面を遠隔入出力端末３７の入出力用表示部に表示する（Ｓ１６）。
【００４０】
ここで、遠隔入出力端末３７の入出力用表示部に表示するデュエット相手指定画面は、図７に示すようになる。図７に示すデュエット相手指定画面では、選曲者が女性であるため、現にシステムログインしている他の利用者の中から男性を抽出し、デュエット相手として指定することができるようになっている。この表示画面では、選曲者の顔写真及び氏名（又はセカンドネーム）を表示すると共に、デュエット相手として指定可能な利用者の顔写真及び氏名（又はセカンドネーム）を表示している。このように、デュエット相手として指定可能な利用者について、氏名（又はセカンドネーム）と共に顔写真を表示することにより、選曲者は、容易にデュエット相手を指定することができる。
【００４１】
続いて、デュエット相手が指定されたか否かを判断し（Ｓ１７）、デュエット相手が指定されると、指定された利用者をデュエット相手として設定する（Ｓ１８）。続いて、選曲が確定されたか否かを判断し（Ｓ１９）、選曲が確定されると、カラオケ本体３２に対して、楽曲ＩＤと選曲者の利用者ＩＤ、及びデュエット相手の利用者ＩＤが送信され、予約管理手段５０の機能により、予約待ち行列としてＲＡＭ４４に格納される（Ｓ２０）。
【００４２】
また、デュエット曲か否かの判断処理（Ｓ１２）において、選択した楽曲がデュエット曲でない場合には、楽曲の設定画面においてデュエット相手指定ボタンを表示せずに、選曲の確定判断処理（Ｓ１９）に移行する。また、デュエット相手指定ボタンの選択判断処理（Ｓ１４）において、デュエット相手指定ボタンが操作されない場合には、デュエットを行わないものとして、選曲の確定判断処理（Ｓ１９）に移行する。また、選曲の確定判断処理（Ｓ１９）において、選曲が確定されなかった場合には、上述した処理を最初からやり直す。
【００４３】
また、デュエット相手の指定判断処理（Ｓ１７）において、デュエット相手が指定されない場合には、デュエット相手の指定を待つ。この際、図７に示す画面においてデュエット相手指定ボタンが操作されなかった場合（「もどる」ボタンあるいは「取消」ボタンが操作された場合）には、図６に示す画面に戻って、その後の操作が行われる。
また、図６に示す画面において楽曲の設定が行われなかった場合（「転送」ボタンが操作されずに、「もどる」ボタンが操作された場合）には、改めて選曲画面を表示して、その後の操作が行われる。
【００４４】
＜歌詞テロップの表示＞
次に、表示手段における歌詞テロップの表示について説明する。図８〜図１０は、表示手段に表示される歌詞テロップの説明図である。
上述したように、デュエット曲を選択し、さらにデュエット相手を設定した場合には、予約待ち行列に、楽曲ＩＤ、選曲者の利用者ＩＤ、及びデュエット相手の利用者ＩＤが格納される。本発明の実施形態に係るカラオケシステムでは、予約待ち行列に格納された選曲者及びデュエット相手の利用者ＩＤに対応付けられた顔写真データを利用して、デュエット相手が設定された楽曲をカラオケ演奏する際に、選曲者及びデュエット相手の顔写真を、各歌唱パートに対応した歌詞テロップデータに関連付けて表示手段３３に表示するようになっている。
【００４５】
具体的には、男性パートの場合には、図８に示すように、男性パートである歌詞テロップの先頭に、男性パートを歌唱するように設定された利用者の顔写真が表示される。また、女性パートの場合には、図９に示すように、女性パートである歌詞テロップの先頭に、女性パートを歌唱するように設定された利用者の顔写真が表示される。さらに、男女が一緒に歌唱を行うパートの場合には、図１０に示すように、歌詞テロップの先頭に、男性パートを歌唱するように設定された利用者と女性パートを歌唱するように設定された利用者の双方の顔写真が表示される。
【００４６】
＜予約楽曲リストの表示＞
次に、デュエット設定された場合の予約楽曲リストの表示について説明する。図１１は、デュエット設定された場合の予約楽曲リストの表示例を示す説明図である。
利用者が遠隔入出力端末３７を用いて予約楽曲の表示要求を行うと、予約管理手段５０の機能により、ＲＡＭ４４に格納されている予約待ち行列のデータを取得し、再生制御手段４９に送出することにより、予約楽曲リストが表示手段に表示される。この予約楽曲リストの表示では、図１１に示すように、演奏順に、楽曲名と選曲者の顔写真が表示される。ここで、単独歌唱の場合には、選曲者のみの顔写真が表示され、デュエット曲の場合には、選曲者に加えてデュエット相手として設定された利用者の顔写真が表示される。
【００４７】
＜他の実施形態＞
本発明のカラオケシステムを構成する機器や手段は上述したものに限定されず、カラオケシステムの利用目的等に応じて、必要な機器や手段のみの構成としたり、適宜他の機器や手段を付加したりすることができる。
また、各手段をそれぞれ別個のものとして構成するのではなく、複数の機能を統合した手段として構成してもよい。
【図面の簡単な説明】
【００４８】
【図１】本発明の実施形態に係るカラオケシステムの概略構成を示すブロック図。
【図２】本発明の実施形態に係るカラオケシステムで用いる顧客データベースの説明図。
【図３】本発明の実施形態に係るカラオケシステムを構成するカラオケ演奏端末のブロック図。
【図４】本発明の実施形態に係るカラオケシステムにおけるデュエット相手設定処理（ＩＤの取得処理）を示すフローチャート。
【図５】本発明の実施形態に係るカラオケシステムにおけるデュエット相手設定処理（デュエット相手の選択設定処理）を示すフローチャート。
【図６】本発明の実施形態に係るカラオケシステムにおける楽曲指定画面の説明図。
【図７】本発明の実施形態に係るカラオケシステムにおけるデュエット相手指定画面の説明図。
【図８】本発明の実施形態に係るカラオケシステムにおいて表示手段に表示される歌詞テロップの説明図。
【図９】本発明の実施形態に係るカラオケシステムにおいて表示手段に表示される歌詞テロップの説明図。
【図１０】本発明の実施形態に係るカラオケシステムにおいて表示手段に表示される歌詞テロップの説明図。
【図１１】本発明の実施形態に係るカラオケシステムにおいてデュエット設定された場合の予約楽曲リストの表示例を示す説明図。
【符号の説明】
【００４９】
１１  ホスト装置
１２  通信ネットワーク
１３−１〜１３−ｎ  カラオケ演奏端末
２１  送受信部
２２  制御手段
２３  データ処理手段
２４  顧客データベース
３２  カラオケ本体
３３  表示手段
３４  ミキシングアンプ
３５ａ  第１マイクロホン
３５ｂ  第２マイクロホン
３６  スピーカ
３７  遠隔入出力端末
３８  楽曲検索手段
３９  ＩＤ読取手段
４０  ＩＤ媒体
４１  バス
４２  中央制御手段
４３  ＲＯＭ
４４  ＲＡＭ
４５  利用者情報取得手段
４６  楽曲データベース
４７  映像データベース
４８  音楽曲出力手段
４９  再生制御手段
５０  予約管理手段
５２  ローカル送受信手段
５３  ネットワーク送受信手段
５４  デュエット相手設定手段
５５  利用者ＩＤ特定手段
【図１】
2008256733.tif 000003
【図２】
2008256733.tif 000004
【図３】
2008256733.tif 000005
【図４】
2008256733.tif 000006
【図５】
2008256733.tif 000007
【図６】
2008256733.tif 000008
【図７】
2008256733.tif 000009
【図８】
2008256733.tif 000010
【図９】
2008256733.tif 000011
【図１０】
2008256733.tif 000012
【図１１】
2008256733.tif 000013